(57)【要約】【課題】吸気掃除用の本体吸気口とこの本体吸気口と形状の異なるエアブロー掃除用の排気接続口に接続するアタッチメントにより吸引掃除とエアブロー掃除が可能で、エアブロー掃除用のアタッチメントを吸引掃除用にも兼用可能なアタッチメントを提供する。【解決手段】本体側吸込口と、吸引風を発生させる電動送風機と、本体側吸込口から吸いこまれ電動送風機を通過した空気を外部に排出するとともに本体側吸込口と形状が異なる排気接続口と、を有する本体を備え、それぞれ内部に風路を有する筒状の第１アタッチメントと第２アタッチメント、を有し、第１アタッチメントは排気接続口に接続され、第２アタッチメントは本体側吸込口に接続される、それぞれ形状の異なるアタッチメント側接続口を有し、第２アタッチメントは第１アタッチメントのアタッチメント側接続口に接続されるアタッチメント側吸込口を有する。【選択図】          図１７
2020178884.tif 000002
【特許請求の範囲】
【請求項１】
本体側吸込口と、吸引風を発生させる電動送風機と、前記本体側吸込口から吸いこまれ前記電動送風機を通過した空気を外部に排出するとともに前記本体側吸込口と形状が異なる排気接続口と、を有する本体を備え、
それぞれ内部に風路を有する筒状の第１アタッチメントと第２アタッチメント、を有し、
前記第１アタッチメントは前記排気接続口に接続され、前記第２アタッチメントは前記本体側吸込口に接続される、それぞれ形状の異なるアタッチメント側接続口を有し、
前記第２アタッチメントは前記第１アタッチメントのアタッチメント側接続口に接続されるアタッチメント側吸込口を有する電気掃除機。
【請求項２】
前記第２アタッチメントは前記アタッチメント側吸込口の周囲に毛束を備えたことを特徴とする請求項１記載の電気掃除機。
【請求項３】
本体側吸込口と、吸引風を発生させる電動送風機と、前記本体側吸込口から吸いこまれ前記電動送風機を通過した空気を外部に排出するとともに前記本体側吸込口と形状が異なる排気接続口と、を有する本体を備え、
内部に風路を有する筒状のアタッチメント、を有し、
前記アタッチメントは一側に前記本体側吸込口に接続される第１の接続口と前記排気接続口に接続される第２の接続口を有する電気掃除機。
【請求項４】
前記排気接続口は前記本体側吸込口よりも断面積が小さいことを特徴とする請求項１から請求項３のいずれか一項に記載の電気掃除機。
【発明の詳細な説明】
【技術分野】
【０００１】
この発明は、アタッチメントが接続される電気掃除機に関するものである。
【背景技術】
【０００２】
特許文献１は、電気掃除機及びアタッチメントを開示する。塵埃を含んだ空気を吸引として使用する際は、電気掃除機の吸引口にホース体と延長管とアタッチメントを接続することで使用可能である。塵埃を吹き飛ばすエアブローとして使用する際は、電気掃除機の排気口にホース体と延長管とアタッチメントを接続することで使用可能である。
【０００３】
特許文献２は、電気掃除機及びアタッチメントを開示する。エアブローとして使用する際、接続口にアタッチメントを接続することで使用可能である。
【先行技術文献】
【特許文献】
【０００４】
【特許文献１】特開２０１７−２２１２９６号公報
【特許文献２】特開２０１８−１５４１２号公報
【発明の概要】
【発明が解決しようとする課題】
【０００５】
しかしながら、特許文献１に記載の電気掃除機は、吸引口と排気口の形状が同じであるため、設計の自由度が制限され、意匠性が損なわれてしまうという課題があった。例えば、吸込口を経由して被掃除面の塵埃を吸引掃除する場合は、吸込口での圧損を低減するために断面積を大きくすることが望ましく、排気口を経由して被掃除面の塵埃を吹き飛ばすエアブロー掃除する場合は、吹き出し風の風速を高めるため排気口の断面積を小さくすることが望ましい。しかし、吸引口と排気口の形状を同じにすると、吸引掃除用とエアブロー掃除用に適するそれぞれの形状を適切に設計できなくなる。また、電気掃除機に接続されるアタッチメントについて、エアブロー掃除用のアタッチメントの吹き出し口の断面積を吸引掃除用のアタッチメントの吸込口の断面積よりも小さくしたほうが、意匠性が損なわれず、好ましい。
【０００６】
特許文献２に記載の掃除機は、アタッチメント係止部の形状が本体接続口と合わないため、吸引掃除用では使用できず、エアブロー掃除のみしか使用できないという課題があった。
【０００７】
この発明は、上述の課題を解決するためになされたものであり、デザイン性が損なわれず、吸引掃除とエアブロー掃除が可能で、エアブロー用のアタッチメントを吸引掃除用にも兼用可能なアタッチメントを提供することを目的とする。
【課題を解決するための手段】
【０００８】
この発明に係る電気掃除機は、本体側吸込口と、吸引風を発生させる電動送風機と、本体側吸込口から吸いこまれ電動送風機を通過した空気を外部に排出するとともに本体側吸込口と形状が異なる排気接続口と、を有する本体を備え、それぞれ内部に風路を有する筒状の第１アタッチメントと第２アタッチメント、を有し、第１アタッチメントは排気接続口に接続され、第２アタッチメントは本体側吸込口に接続される、それぞれ形状の異なるアタッチメント側接続口を有し、第２アタッチメントは第１アタッチメントのアタッチメント側接続口に接続されるアタッチメント側吸込口を有するものである。
【０００９】
また、本体側吸込口と、吸引風を発生させる電動送風機と、本体側吸込口から吸いこまれ電動送風機を通過した空気を外部に排出するとともに本体側吸込口と形状が異なる排気接続口と、を有する本体を備え、内部に風路を有する筒状のアタッチメント、を有し、アタッチメントは一側に本体側吸込口に接続される第１の接続口と排気接続口に接続される第２の接続口を有するものである。
【発明の効果】
【００１０】
この発明の電気掃除機によれば、吸気掃除用の本体吸気口とこの本体吸気口と形状の異なるエアブロー掃除用の排気接続口に接続するアタッチメントにより吸引掃除とエアブロー掃除が可能で、エアブロー掃除用のアタッチメントを吸引掃除用にも兼用可能なアタッチメントが得られ、使い勝手がよい電気掃除機を提供できる。
【図面の簡単な説明】
【００１１】
【図１】この発明の実施の形態１における電気掃除機を含む掃除機システムの斜視図である。
【図２】この発明の実施の形態１における電気掃除機を含む掃除機システムの上面図である。
【図３】この発明の実施の形態１における電気掃除機を含む掃除機システムの側面図である。
【図４】実施の形態１における電気掃除機の第１使用例を示す斜視図である。
【図５】実施の形態１における電気掃除機の第２使用例を示す本体の側面図である。
【図６】実施の形態１における電気掃除機を含む掃除機システムの支持装置から本体を着脱している側面図である。
【図７】実施の形態１における電気掃除機の吸込具が支持装置の特定位置に配置された状態を示す側面図である。
【図８】実施の形態１における電気掃除機の縦断面図である。
【図９】実施の形態１における電気掃除機の本体の縦断面図である。
【図１０】実施の形態１における電気掃除機の管体の斜視図である。
【図１１】実施の形態１における電気掃除機の管体の側面図である。
【図１２】実施の形態１における電気掃除機の管体の縦断面図である。
【図１３】図１１のＨ−Ｈ線における断面図である。
【図１４】実施の形態１における電気掃除機を含む掃除機システムの支持装置にアタッチメントを取付けた状態の斜視図である。
【図１５】実施の形態１における電気掃除機の本体に刷毛ノズルを取付けた状態を示す側面図である。
【図１６】実施の形態１における電気掃除機の本体に直管ノズルを取付けた状態を示す側面図である。
【図１７】実施の形態１における電気掃除機の刷毛ノズルに直管ノズルを取付けた状態を示す斜視図である。
【図１８】実施の形態１における電気掃除機の刷毛ノズルに直管ノズルを接続し、本体に取付けた状態を示す斜視図である。
【図１９】実施の形態１における電気掃除機の刷毛ノズルに直管ノズルを接続して、支持装置の被取付部に刷毛ノズルの取付部を挿入した状態の斜視図である。
【図２０】実施の形態１における電気掃除機の刷毛ノズルに直管ノズルを接続して、支持装置の被取付部に直管ノズルの取付部を挿入した状態の斜視図である。
【図２１】実施の形態１における電気掃除機の刷毛ノズルの斜視図である。
【図２２】実施の形態１における電気掃除機の刷毛ノズルの分解図である。
【図２３】実施の形態１における電気掃除機の直管ノズルの斜視図である。
【図２４】実施の形態１における電気掃除機の直管ノズルの別の方向からの斜視図の要部である。
【図２５】実施の形態２における電気掃除機の直管ノズルの斜視図である。
【図２６】実施の形態２における電気掃除機の本体側吸込口に直管ノズルを取付けた状態を示す側面図である。
【図２７】実施の形態２における電気掃除機の排気接続口に直管ノズルを取付けた状態を示す側面図である。
【図２８】実施の形態２における電気掃除機を含む掃除機システムの支持装置にアタッチメントを取付けた状態の斜視図である。
【発明を実施するための形態】
【００１２】
この発明を実施するための形態について添付の図面に従って説明する。なお、各図中、同一または相当する部分には同一の符号が付される。当該部分の重複説明は適宜に簡略化ないし省略される。また、本発明は以下の実施の形態に限定されことなく、本発明の趣旨を逸脱しない範囲で種々変形することが可能である。以下の説明では、塵埃が混じった空気は、「含塵空気」という。塵埃が取り除かれた空気は、「清浄空気」という。
【００１３】
実施の形態１．
図１は実施の形態１における電気掃除機を含む掃除機システムの斜視図である。図２は実施の形態１における電気掃除機を含む掃除機システムの上面図である。図３は実施の形態１における電気掃除機を含む掃除機システムの側面図である。
【００１４】
図１に示すように、掃除機システムは、電気掃除機１と支持装置２とを備える。掃除システムの上下、前後、左右は、図1、図２に示す方向とする。
【００１５】
電気掃除機１は、掃除が行われる際に支持装置２から取り外される。電気掃除機１は、掃除が終了した後に進行方向を維持したまま支持装置２に取り付けられる。この際、電気掃除機１の前部が支持装置２に保持される。その結果、電気掃除機１は、後部を意匠面として配置される。電気掃除機１と掃除機システムとは、外観として左右方向に対称性を有する。
【００１６】
例えば、電気掃除機１は、本体３と管体４と吸込具５とアタッチメント２４を備える。例えば、支持装置２は、基体６と、基体６に立設される支持体７と、支持体７に取り付けられる保持体８を備える。
【００１７】
例えば、管体４は、棒状に形成される。管体４は、本体３から下方に延びる。管体４の上端部は、本体３の後部に対して着脱自在に設けられる。吸込具５の後部かつ幅方向の中間部は、管体４の下端部に対して着脱自在に設けられる。吸込具５の後部かつ幅方向の中間部には、前後方向（仰角方向）に回転可能な回転軸を有する接続管（図示せず）が配置される。管体４は、吸込具５に対して、接続管の回転軸の周りに回転自在に接続される。
【００１８】
アタッチメント２４は、例えば、後述する第２アタッチメントである刷毛ノズル２５と、後述する第１アタッチメントである長尺の直管ノズル２６である。なお、刷毛ノズル２５と直管ノズル２６に共通する内容についてはアタッチメント２４としてまとめて記載する。
【００１９】
アタッチメント２４は支持装置２に対して着脱自在に設けられる。刷毛ノズル２５の上端部は本体３の本体側吸込口２８に対して着脱自在に設けられる。直管ノズル２６の上端部は本体３の排気接続口２９に対して着脱自在に設けられる。排気接続口２９は本体側接続口２７の一つであり、本体側吸込口２８から吸いこまれ電動送風機１６を通過した空気を外部に排出する。排気接続口２９は本体側吸込口２８と形状が異なる。排気接続口２９は、排気接続口２９を閉成するように付勢される弁体を設け、アタッチメント２４が排気接続口２９に接続されない状態では排気接続口２９が弁体により閉成され、アタッチメント２４が排気接続口２９に接続されると弁体が開成されるように構成される。つまり、排気接続口２９は、吸引掃除のときは閉成され、エアブロー掃除のときは開成される。なお、排気接続口２９は常に開成されるように構成してもよい。さらに、直管ノズル２６の上端部は刷毛ノズル２５の刷毛ノズル吸込口８４に対しても着脱自在に設けられる。
【００２０】
電気掃除機１が支持装置２に取り付けられる際、本体３および管体４の少なくとも一方は、保持体８に保持される。吸込具５は、支持装置２の基体６に支持される。この際、吸込具５の後端は、管体４と本体３より後方側に配置される。
【００２１】
電気掃除機１がスティック型の電気掃除機１として支持装置２から外される場合、図３に示されるように、使用者は、本体３を上方に持ち上げることなく、すなわち、Ｃ方向に移動することなく、本体３をＡ方向に移動させる。
【００２２】
なお、使用者は、本体３を上方に持ち上げることなく本体３をＢ方向に回転させることもある。本体３は、Ｂ方向に回転した直後はＡ方向に移動する。その結果、管体４は、被清掃面に対して斜めになる。このため、電気掃除機１は、速やかに清掃形態に移行する。
【００２３】
電気掃除機１がハンディ型の掃除機１として支持装置２から外される場合、使用者は、本体３をＣ方向に移動させる。本体３がＣ方向に移動しても、管体４は保持体８に保持されたままである。この際、管体４と吸込具５とは、支持装置２から外れない。
【００２４】
なお、管体４が支持装置２に支持されていない場合、すなわち、支持装置２には本体３のみが支持され、管体４は支持装置２から取り外されている状態では、掃除機１は、ハンディ型掃除機として支持装置２に着脱し得る。例えば、使用者は、支持装置２に対して横方向に移動させることで本体３を着脱する。例えば、使用者は、支持装置２に対して上下方向に移動させることで本体３を着脱する。
【００２５】
また、管体４が支持装置２に支持されている場合、使用者は、管体４の上方から下方向に本体３を移動させる。その結果、本体３は、管体４に接続された状態で支持装置２に支持される。
【００２６】
電気掃除機１が支持装置２に支持されている場合、本体３の一部は、吸込具５の直上に配置される。このため、電気掃除機１と支持装置２とは、狭いスペースに設置され得る。
【００２７】
次に、図４を用いて、電気掃除機１の第１使用例を説明する。図４は実施の形態１における電気掃除機１の第１使用例を示す斜視図である。第１使用例とは、本体３に管体４と吸込具５を接続して、スティック型掃除機として使用する例である。図４に示されるように、本体３は、外郭部９とハンドル１０と集塵部１１とを備える。
【００２８】
外郭部９は、掃除機１の意匠面の一部となる。図３および図４に示すように、ハンドル１０は、掃除機システムの前後方向を定める。ハンドル１０の上端部は、外郭部９よりも上方に設けられる。集塵部１１は、全体として円筒状に形成される。集塵部１１は、外郭部９の下方に設けられる。
【００２９】
電気掃除機１がスティック型掃除機として使用される際、使用者は、ハンドル１０の前後方向の中間部を持つ。例えば、使用者は、管体４の長手方向が床面に対して斜め方向となるようにして床面を掃除する。この際、管体４は、本体３より下側に配置される。
【００３０】
次に、図５、図６を用いて、電気掃除機１の第２使用例を説明する。第２使用例とは、管体４と吸込具５とを外して本体３を単体で使用し、ハンディ型掃除機接続して使用する例である。図５は実施の形態１における本体３の側面図である。図６は実施の形態１における支持装置２から本体３を着脱している側面図である。本体３は、図６に示すように管体４から着脱すると図５に示されるように、電気掃除機１はハンディ型掃除機として使用される。使用者は、管体４と吸込具５とが外された状態で被清掃面を掃除する。この際、使用者は、ハンドル１０の前端部の側を持つ。
【００３１】
次に、図７を用いて、電気掃除機１を支持装置２に支持させる手順を説明する。図７は実施の形態１における吸込具５が特定位置に配置された状態を示す側面図である。ここで、特定位置とは、吸込具５の前端がこの吸込具５の前端と対向する基体６の後端に突き当てられるように、吸込具５が支持装置２の基体６の後側に載置される位置をいう。なお、図７ではアタッチメント２４の図示は省略している。例えば、吸込具５は基体６と緩嵌合した状態で特定位置に配置される。
【００３２】
使用者は、図４のように本体３を傾け、ハンドル１０を持って吸込具５を前後に動かす。この際、電気掃除機１は、吸込具５が本体３よりも前方となるように斜めに配置される。掃除の終了後、使用者は、電気掃除機１を清掃時の姿勢のまま前方に動かして吸込具５を支持装置２の特定位置に配置する。
【００３３】
図７に示されるように、吸込具５を特定位置に配置した直後、つまり、掃除機１が支持装置２に支持される前の、掃除機１が後方向に傾いた状態において、本体３は、吸込具５よりも後方に配置される。使用者は、吸込具５が特定位置に配置された状態で本体３と管体４とをＥ方向に移動させる。Ｅ方向への移動は、電気掃除機１を前方に動かす一連の動作として行われる。Ｅ方向への移動動作は、使用者がハンドル１０を持った状態で吸込具５の接続管の回転軸を中心に弧を描くように移動させる動作である。このため、電気掃除機１は、持ち上げられることなく支持装置２に支持される。
【００３４】
次に、図８と図９とを用いて、外郭部９とハンドル１０とを説明する。図８は実施の形態１における電気掃除機１の縦断面図である。図９は実施の形態１における本体３の縦断面図である。図８と図９とに示されるように、外郭部９は、ケース部１２とバッテリ部１３と接続管部１４と排気部１５とを備える。
【００３５】
ケース部１２は、全体として円筒状に形成される。ケース部１２は、電動送風機１６と制御部１７とを収納する。電動送風機１６は吸引風を発生するものであり、集塵部１１の下流側に設けられる。電動送風機１６は、吸気と排気とを行い得るように設けられる。制御部１７は、電動送風機１６の直上に設けられる。例えば、制御部１７は、電動送風機１６の動作を制御する。ケース部１２は、凸部１８を備える。凸部１８は、ケース部１２の前部に設けられる。排気接続口２９は、凸部１８側に軸支され、ばねにより排気接続口２９を内部から閉じるように付勢された弁体（図示せず）を有する。排気接続口２９に直管ノズル２６が接続されると、後述する直管ノズル側接続口９１がばねの付勢力に抗して弁体を開く。凸部１８の内部は、開いた弁体を風路から退避する空間を形成する。
【００３６】
バッテリ部１３は、ハンドル１０の後端部から下方に延設され、外郭部９の後部に収納される。バッテリ部１３は長手方向が上下方向であり、ケース部１２に隣接する。バッテリ部１３は、複数の二次電池を備える。複数の二次電池は、商用電源に接続される支持装置２を介して充電される。当該複数の二次電池の充電動作は、制御部１７により制御される。
【００３７】
接続管部１４は、集塵部１１に沿って配置される。接続管部１４の前側は、集塵部１１に隣接する。接続管部１４はバッテリ部１３の下方で、バッテリ部１３の長手方向の延長線上に配置される。接続管部１４は、管体４が着脱可能に連結される中空管状の部材である。接続管部１４は、塵埃を吸い込むための本体側吸込口２８を有する。本体側吸込口２８は本体側接続口２７の一つである。本体側吸込口２８は、接続管部１４の一端に形成された開口である。本体側吸込口２８は排気接続口２７よりも断面積が大きい。本体側吸込口２８には管体４および刷毛ノズル２５が着脱可能に挿入される。接続管部１４の内部には、本体側吸込口２８を通過した含塵空気の気流を集塵部１１へ導く吸気風路が形成されている。
【００３８】
接続管部１４は、嵌合部１９を備える。嵌合部１９は、側面視において三角形状に形成される。つまり、嵌合部１９は三角柱状に形成され、その稜線が接続管部１４の外周の円周方向に沿って配置される。嵌合部１９は、上方にいくにつれて接続管部１４の外側に突出する。
【００３９】
本体３の内部には排気風路が形成されている。排気風路は、集塵部１１及び電動送風機１６を通過した空気が本体３の外部に排出されるまでの風路である。
【００４０】
排気部１５は電動送風機１６を通過した空気を外部に排出する排気口であり、本実施の形態では複数設けられている。但し、排気部１５は一つであってもよい。本実施の形態では、第一の排気部１５ａと第二の排気部１５ｂを備える。
【００４１】
第二の排気部１５ｂは、電動送風機１６を通過した空気が本体３の外部に排出されるための開口の一つである。第二の排気部１５ｂは、ケース部１２におけるバッテリ部１３が収容される位置に形成されている。なお、この構成例では、第二の排気部１５ｂは、ケース部１２の外殻の両側面に、それぞれ、ケース部１２の内部と外部とが連通するように開口して設けられている。すなわち、第二の排気部１５ｂは本体３の側面に配置されている。
【００４２】
第一の排気部１５ａは、電動送風機１６を通過した空気が本体３の外部に排出されるための開口の一つである。第一の排気部１５ａは、第二の排気部１５ｂとは異なる位置に形成される。第一の排気部１５ａは、ハンドル１０の前端かつ下端に形成される。第一の排気部１５ａには、排気接続口２９が設けられている。第一の排気部１５ａは本体側吸込口２８と同方向、つまり、下方向に向いて開口している。
【００４３】
集塵部１１は、電動送風機１６が生成した吸引風により本体３に吸い込んだ含塵空気中の塵埃を捕集するためのものである。集塵部１１は、本体３に対し着脱可能に取り付けられている。集塵部１１の全体の形状は円柱状の外観を有する。本実施の形態に係る集塵部１１は、サイクロン部２２及びフィルタ部２３を有している。サイクロン部２２は、サイクロン分離装置である。サイクロン部２２は、電動送風機１６が生成した空気流により含塵空気を内部で旋回させて含塵空気からごみを分離する。フィルタ部２３は、サイクロン部２２では分離しきれなかった微細な塵埃を空気流中から漉し取るためのものである。
【００４４】
ハンドル１０は、図２に示すように、支持装置２に支持された状態で、上面視において視認可能に配置されるように設けられる。ハンドル１０は、図８、図９に示すように、本体３の上部において、前後方向にわたって形成される。例えば、ハンドル１０は、上端部から前方にわたって形成される。例えば、ハンドル１０は、上端部から後方にわたって形成される。例えば、ハンドル１０は、上端部から前後にわたって形成される。例えば、ハンドル１０は、上端部より前方では低い位置に形成される。例えば、ハンドル１０は上端部より後方では低い位置に形成される。例えば、ハンドル１０は、本体３の前後方向の中心から前後に延びるように形成される。
【００４５】
例えば、ハンドル１０は、外郭部９の前端部と後端部とにかけて連続的に形成される。例えば、ハンドル１０の前端部と後端部は、ともに延びる方向が同方向に形成され、平行に設けられる。例えば、ハンドル１０の前後方向における中間部は、ケース部１２の上方においてハンドル１０の前端部と後端部とに対して湾曲して連結される。例えば、ハンドル１０の中間部は、上側に凸となるように形成される。例えば、ハンドル１０の後端部は、管体４が延びる上方向の延長線上において、ケース部１２の後部よりもケース部１２の後方側に設けられる。例えば、ハンドル１０の前端部は、ケース部１２の前部よりもケース部１２の前方側に設けられる。例えば、ハンドル１０の前端部は、ケース部１２の凸部１８に連結される。
【００４６】
好ましくは、ハンドル１０は、本体３の最上部に配置される。好ましくは、ハンドル１０とケース部１２との間には、側面視において空間２０が形成される。好ましくは、空間２０は、ハンドル１０の上端部の直下に形成される。空間２０は、使用者が上方からハンドル１０を持つ際に使用され、空間２０に手または指を挿入した状態でハンドル１０を把持でき、使い勝手がよい。
【００４７】
ハンドル１０は、操作部２１を備える。操作部２１は、ハンドル１０の前部に設けられる。例えば、操作部２１は、複数の操作スイッチを備える。
【００４８】
本体３は、左側本体３側充電端子部３９Ｌと右側本体３側充電端子部３９Ｒとを備える。例えば、左側本体３側充電端子部３９Ｌと右側本体３側充電端子部３９Ｒとは、接続管部１４の前部に設けられる。例えば、左側本体３側充電端子部３９Ｌと右側本体３側充電端子部３９Ｒとは、集塵部１１よりも下方に設けられる。
【００４９】
使用者は、ハンドル１０を持った手で操作部２１を操作する。制御部１７は、バッテリ部１３からの電力を利用して操作部２１への操作内容に基づいて電動送風機１６の動作を制御する。
【００５０】
電動送風機１６が動作すると、吸引風が発生する。当該吸引風により、含塵空気は、吸込具５から吸い込まれる。その後、当該含塵空気は、管体４の内部を通過する。その後、当該含塵空気は、接続管部１４の内部を通過する。その後、当該含塵空気は、集塵部１１に流入する。この際、当該含塵空気の塵埃は、集塵部１１に収集される。その結果、清浄空気が生成される。当該清浄空気は、集塵部１１から流出する。その後、当該清浄空気は、電動送風機１６を通過する。その後、当該清浄空気は、排気部から本体３の外部に排出される。
【００５１】
次に、図１０から図１３を用いて、管体４を説明する。図１０は実施の形態１における管体４の斜視図である。図１１は実施の形態１における管体４の側面図である。図１２は実施の形態１における管体４の縦断面図である。図１３は図１１のＨ−Ｈ線における断面図である。
【００５２】
図１０に示されるように、管体４は、パイプ部３６とカバーパイプ３７とラッチ部３８と端子部３９と図示されないリード線とを備える。パイプ部３６は、管体４の主要部材である。パイプ部３６の上端部は、接続管部１４の内側において接続管部１４に接続される。
【００５３】
パイプ部３６は、パイプ４０と嵌合部４１とを備える。パイプ４０は、パイプ部３６の主要部である。パイプ４０は、円筒状に形成される。パイプ４０の内側は、風路となる。パイプ４０の内部空間は、長手軸を有する。長手軸は、直線形状である。嵌合部４１は、パイプ部３６の前部かつ下部に配置される。嵌合部４１は、吸込具５側と嵌合し得るように設けられる。
【００５４】
ラッチ部３８は、管体４の前部かつ上部に配置される。ラッチ部３８は、パイプ部３６の外側に設けられる。例えば、ラッチ部３８は、カバーを介してパイプ部３６に固定される。例えば、ラッチ部３８は、パイプ部３６に直接固定される。ラッチ部３８の中央部は、パイプ部３６に支持される。ラッチ部３８は、本体３と嵌合し得るように設けられる。具体的には、ラッチ部３８は、接続管部１４の下端部と管体４の上端部との接続を維持するように設けられる。ラッチ部３８は、ラッチ４２ａとカバーラッチ４２ｂとを備える。
【００５５】
端子部３９は、管体４の後部かつ上部に配置される。端子部３９は、吸込具５に通電するための中継部品である。端子部３９は、吸込具５に通電するリード線と接続される。端子部３９の一部とリード線とはパイプ部３６とカバーパイプ３７との間に配置される。
【００５６】
次に、図１４を用いて、支持装置２にアタッチメント２４が支持された状態について説明する。図１４は実施の形態１における支持装置２にアタッチメント２４を取付けた状態の斜視図である。
【００５７】
図１４に示すように、第２アタッチメントである刷毛ノズル２５は内部に風路を有する筒状の形状を有し、刷毛ノズル側接続口７８と刷毛ノズル外郭部１００ａとを備える。第１アタッチメントである直管ノズル２６は内部に風路を有する筒状の形状を有し、直管ノズル側接続口９１と直管ノズル外郭部１００ｂとを備える。
【００５８】
刷毛ノズル側接続口７８は中空の筒状部である。刷毛ノズル側接続口７８はアタッチメント２４の一端に設けられる接続口である。図１５および図１６に示すように、刷毛ノズル側接続口７８は本体側接続口２７に接続できる。また、着脱自在に接続できる。
【００５９】
図６に示すように、本体３を管体４から外す。その後、使用者はハンドル１０を持ち、図１５、図１６に示すように、アタッチメント２４に本体側接続口２７を接続することができる。排気接続口２９は本体側吸込口２８よりも断面積が小さいので、本体吸込口２８に刷毛ノズル２５を接続して吸引掃除を行う際は、本体吸込口２８での圧損を低減することができる。また、排気接続口２９に直管ノズル２６を接続してエアブロー掃除を行う際は、吹き出し風の風速を高めることができる。
【００６０】
刷毛ノズル外郭部１００ａは刷毛ノズル２５の刷毛ノズル側接続口７８以外の部分である。刷毛ノズル２５が本体３に接続された状態において、刷毛ノズル側接続口７８は本体側吸込口２８に覆われる。同様に、直管ノズル外殻部１００ｂは直管ノズル２６の直管ノズル側接続口９１以外の部分である。直管ノズル２６が本体３に接続された状態において、直管ノズル側接続口９１は排気接続口２９に覆われる。これらの状態で、外観にさらされているのがアタッチメント外郭部１００である。アタッチメント外郭部１００には風路形成部（後述する刷毛ノズル風路形成部７９及び直管ノズル風路形成部９２）と取付部（後述する刷毛ノズル取付部８０及び直管ノズル取付部９３）と支持部（後述する刷毛ノズル支持部８３及び直管ノズル支持部９６）を備える。
【００６１】
風路形成部は中空の部材である。風路形成部の内側は内部風路として機能する。取付部はアタッチメント２４を支持装置２に取付けるためのものである。
【００６２】
図１７に示すように、刷毛ノズル２５に直管ノズル２６を取付けることが可能である。図１７は実施の形態１における刷毛ノズルに直管ノズルを取付けた状態を示す斜視図である。
【００６３】
図１８を用いて、本体側吸込口２８に刷毛ノズル側接続口７８を接続し、刷毛ノズル２５に直管ノズル２６を取付けた状態について説明する。図１８は実施の形態１における刷毛ノズル２５に直管ノズル２９を接続し、本体３に取付けた状態を示す斜視図である。
【００６４】
直管ノズル２６を吸引用として使用できるので、狭い隙間などの吸引掃除が可能となる。
【００６５】
図１９、図２０を用いて、刷毛ノズル２５に直管ノズル２６を取付けた状態で支持装置２に支持された状態について説明する。図１９は実施の形態１における刷毛ノズル２５に直管ノズル２６を接続して、支持装置２の被取付部５７に刷毛ノズル２５の取付部４９を挿入した状態の斜視図である。図２０は実施の形態１における刷毛ノズル２５に直管ノズル２６を接続して、支持装置２の被取付部５７に直管ノズル２６の取付部４９を挿入した状態の斜視図である。
【００６６】
刷毛ノズル２５に直管ノズル２６を取付けた状態で、支持装置２に支持する場合は、支持装置２の被取付部５７には、刷毛ノズル２５と直管ノズル２６の取付部４９が共に挿入可能である。
【００６７】
なお、刷毛ノズル２５に直管ノズル２６を取付けた状態で、支持装置２に支持するため、支持装置２の被取付部５７に別のアタッチメントを支持することが可能である。例えば、第１のアタッチメントである直管ノズル２６や、第２のアタッチメントである刷毛ノズル２４とは別のアタッチメントである蛇腹ホース９８を支持装置２の被取付部５７に支持できる。蛇腹ホース９８は、蛇腹状で可撓性のあるホース部を有する長尺のアタッチメントである。その際、蛇腹ホース９８にサッシノズル９９を接続したまま支持してもよい。サッシノズル９９はサッシのレールの隙間等を掃除する際に使用するノズルで、一端側に縦長の開口が形成され、他端側が蛇腹ホース９８の下端と接続される。
【００６８】
次に、図２１から図２４を用いて、アタッチメント２４について説明する。図２１は実施の形態１における刷毛ノズル２５の斜視図である。図２２は実施の形態１における刷毛ノズル２５の分解図である。図２３は実施の形態１における直管ノズル２６の斜視図である。図２４は実施の形態１における直管ノズル２６の別の方向からの斜視図の要部である。
【００６９】
上述したとおり、アタッチメント２４は刷毛ノズル２５と直管ノズル２６を備える。刷毛ノズル２５は刷毛ノズル側接続口７８、刷毛ノズル接続口内壁７８ａ、刷毛ノズル風路形成部７９、刷毛ノズル取付部８０、刷毛ノズル支持部８３を備える。直管ノズル２６は、直管ノズル側接続口９１、直管ノズル風路形成部９２、直管ノズル取付部９３、直管ノズル支持部９６を備える。刷毛ノズル側接続口７８および直管ノズル側接続口９１はアタッチメント側接続口である。刷毛ノズル風路形成部７９および直管ノズル風路形成部９２はアタッチメント２４の風路形成部である。刷毛ノズル取付部８０および直管ノズル取付部９３はアタッチメント２４の取付部である。刷毛ノズル支持部８３およびロングノズル支持部９６はアタッチメント２４の支持部である。
【００７０】
次に、図２１および図２２用いて刷毛ノズル２５について説明する。
第２アタッチメントである刷毛ノズル２５は吸込用アタッチメントである。刷毛ノズル２５は吸込風を利用する。刷毛ノズル２５は刷毛ノズル吸込口８４を備える。刷毛ノズル吸込口８４はアタッチメント側吸込口の一つであり、塵埃を吸込む開口である。刷毛ノズル２５は刷毛ノズル吸込口８４側の先端に複数の毛束７５を備える。毛束７５は刷毛ノズル吸込口８４の周囲に配置される。刷毛ノズル２５は、例えば、刷毛としての機能を有し、被清掃面および被清掃面上の塵埃をこする。つまり吸引と掃き掃除を同時に行う。被清掃面上の塵埃はこすられることで、被清掃面との密着力が低下する。これにより塵埃を吸引されやすくする。
【００７１】
刷毛ノズル２５は刷毛ノズル側接続口７８とラッチ７６とバネ７７を備える。刷毛ノズル側接続口７８はアタッチメント側接続口である。刷毛ノズル側接続口７８は本体側吸込口２８（本体接続口２７の一つ）に差し込むようにして接続する。刷毛ノズル２５のラッチ７６とバネ７７は管体４のラッチ４２ａとバネ４３ｃと同様の機能を有する。すなわち、刷毛ノズル２５のラッチ７６とバネ７７により、本体側吸込口２８や管体４との結合状態を保持するとともに、この結合を使用者の操作により容易に解除できる。
【００７２】
刷毛ノズル２５には刷毛ノズル取付部８０を備える。刷毛ノズル取付部８０は刷毛ノズル２５を支持装置２に取付けるためのものである。刷毛ノズル取付部８０は刷毛ノズル吸込口８４より刷毛ノズル側接続口７８に近い位置に配置される。刷毛ノズル取付部８０はラッチ７６の反対側に設けられる。すなわち、被清掃面を清掃する際に、ラッチ７６より刷毛ノズル取付部８０の方が被清掃面に近い位置に配置される。なお、刷毛ノズル取付部８０の位置は本実施の形態に限定されない。
【００７３】
第２アタッチメントの刷毛ノズル２５の刷毛ノズル吸込口８４は被係止部８４ａを備え、刷毛ノズル吸込口８４の形状は直管ノズル２６の直管ノズル接続口９１と同形状とした。すなわち刷毛ノズル２５に直管ノズル２６を取り付けることができる。使用者が直管ノズル２６を刷毛ノズル吸込口８４に差し込むと、刷毛ノズル２５の被係止部８４ａに、直管ノズル２６のラッチ８９が係止され結合状態が保持される。結合を解除する際は、使用者が差込み方向と反対方向に直管ノズル２６を引っ張るとラッチ８９が被係止部８４ａから外れ、結合が解除される。
【００７４】
次に、図２３および図２４を用いて第１アタッチメントの直管ノズル２６について説明する。直管ノズル２６は吸引兼ブロワ用アタッチメントである。直管ノズル２６の直管ノズル側接続口９１は、第２アタッチメントの刷毛ノズル２５の刷毛ノズル吸込口８４と接続可能に構成される。直管ノズル２６を刷毛ノズル２５に装着した場合、直管ノズル２６は、吸引風を利用して、被清掃面の塵埃を吸引するためのアタッチメント２４として機能する。直管ノズル２６を排気接続口２９に装着した場合、直管ノズル２６は、排気風を利用して、被清掃面の塵埃を吹飛ばすためのアタッチメント２４として機能する。直管ノズル２６は中空管状を呈する。直管ノズル２６は細長い形状である。
【００７５】
直管ノズル２６は上端側に直管ノズル側接続口９１とラッチ８９を備え、下端側には吸引口兼吹出口９０を備える。直管ノズル側接続口９１はアタッチメント側接続口である。直管ノズル側接続口９１は刷毛ノズル吸込口８４または排気接続口２９に差し込むようにして接続する。直管ノズル２６は直管ノズル側接続口９１から吸引口兼吹出口９０にかけて、先細りした形状である。ラッチ８９は、排気接続口２９と直管ノズル側接続口９１との結合状態を保持するとともに、この結合を使用者の操作により容易に解除できるようにするものである。直管ノズル２６は直管ノズル取付部９３を備える。直管ノズル取付部９３は直管ノズル２６を支持装置２に取付けるためのものである。直管ノズル取付部９３は吸引口兼吹出口９０より直管ノズル側接続口９１に近い位置に配置される。
【００７６】
このように、実施の形態１の電気掃除機によれば、本体側吸込口と、吸引風を発生させる電動送風機と、本体側吸込口から吸いこまれ電動送風機を通過した空気を外部に排出するとともに本体側吸込口と形状が異なる排気接続口と、を有する本体を備え、それぞれ内部に風路を有する筒状の第１アタッチメントと第２アタッチメント、を有し、第１アタッチメントは排気接続口に接続され、第２アタッチメントは本体側吸込口に接続される、それぞれ形状の異なるアタッチメント側接続口を有し、第２アタッチメントは第１アタッチメントのアタッチメント側接続口に接続されるアタッチメント側吸込口を有するので、吸気掃除用の本体吸気口とこの本体吸気口と形状の異なるエアブロー掃除用の排気接続口に接続するアタッチメントにより吸引掃除とエアブロー掃除が可能で、エアブロー用のアタッチメントを吸引掃除用にも兼用可能なアタッチメントが得られ、使い勝手がよい。
【００７７】
また、第２アタッチメントはアタッチメント側吸込口の周囲に毛束を備えたので、吸引掃除時に毛束が被清掃面をこすることにより吸引掃除と掃き掃除を同時に行うことができ、清掃性が高まる。
【００７８】
また、排気接続口は本体側吸込口よりも断面積が小さいので、本体吸込口に第２アタッチメントを接続して吸引掃除を行う際は、本体吸込口での圧損を低減することができる。また、排気接続口に第２アタッチメントを接続してエアブロー掃除を行う際は、吹き出し風の風速を高めることができる。
【００７９】
実施の形態２．
図２５は実施の形態２における直管ノズル２６の斜視図である。図２６は、実施の形態２における本体側吸込口２８に直管ノズル２６を取付けた状態を示す側面図である。図２７は、実施の形態２における排気接続口２９に直管ノズル２６を取付けた状態を示す側面図である。図２８は実施の形態２における支持装置２にアタッチメント２４を取付けた状態の斜視図である。
【００８０】
直管ノズル２６は吸引兼ブロワ用アタッチメントである。直管ノズル２６を本体側吸込口２８に装着した場合は、吸引風を利用して、被清掃面の塵埃を吸引するためのアタッチメントとして機能する。直管ノズル２６を排気接続口２９に装着した場合は、排気風を利用して、被清掃面の塵埃を吹飛ばすためのアタッチメントとして機能する。直管ノズル２６は中空管状を呈する。直管ノズル２６は細長い形状である。
【００８１】
直管ノズル２６は、上端側にアタッチメント側接続口９１ｃとラッチ８９（図示せず、実施の形態１と同様）を備え、下端側には吸引口兼吹出口９０を備える。アタッチメント側接続口９１ｃは、本体側吸込口２８の形状に対応した筒状接続口９１ａと、排気接続口２９の形状に対応した矩形状接続口９１ｂにて構成されている。矩形状接続口９１ｂの外周は筒状接続口９１ａの内周に収まる大きさとなっている。アタッチメント側接続口９１ｃは本体側吸込口２８または排気接続口２９に差し込み接続する。直管ノズル２６を本体側吸込口２８に装着した際は、本体側吸込口２８の筒内に筒状接続口９１ａと矩形状接続口９１ｂが収納される。また、直管ノズル２６を排気接続口２９に装着した際は、排気接続口２９に矩形状接続口９１ｂが接続され、筒状接続口９１ａは外観に露出される。筒状接続口９１ａの内部は有底で、矩形状接続口９１ｂの内部に形成される空間と連通していない。
【００８２】
直管ノズル２６はアタッチメント側接続口９１ｃから吸引口兼吹出口９０にかけて、先細りした形状である。ラッチ８９は、排気接続口２９とアタッチメント側接続口９１ｃとの結合状態を保持するとともに、この結合を使用者の操作により容易に解除できるようにするものである。直管ノズル２６は直管ノズル取付部９３を備える。直管ノズル取付部９３は直管ノズル２６を支持装置２に取付けるためのものである。直管ノズル取付部９３は吸引口兼吹出口９０より直管ノズル側接続口９１に近い位置に配置される。
【００８３】
このように、実施の形態２の電気掃除機によれば、本体側吸込口と、吸引風を発生させる電動送風機と、本体側吸込口から吸いこまれ電動送風機を通過した空気を外部に排出するとともに前記本体側吸込口と形状が異なる排気接続口と、を有する本体を備え、内部に風路を有する筒状のアタッチメント、を有し、アタッチメントは一側に本体側吸込口に接続される第１の接続口と排気接続口に接続される第２の接続口を有するので、吸気掃除用の本体吸気口とこの本体吸気口と形状の異なるエアブロー掃除用の排気接続口に接続する一つのアタッチメントにより吸引掃除とエアブロー掃除が可能で、エアブロー用のアタッチメントを吸引掃除用にも兼用可能なアタッチメントが得られ、使い勝手がよい。
【符号の説明】
【００８４】
１  電気掃除機
２  支持装置
３  本体
４  管体
５  吸込具
６  基体
７  支持体
８  保持体
９  外殻部
１０  ハンドル
１１  集塵部
１２  ケース部
１３  バッテリ部
１４  接続管部
１５  排気部
１５ａ  第一の排気部
１５ｂ  第二の排気部
１６  電動送風機
１７  制御部
１８  凸部
１９  嵌合部
２０  空間
２１  操作部
２２  サイクロン部
２３  フィルタ部
２４  アタッチメント
２５  刷毛ノズル（第２アタッチメント）
２６  直管ノズル（第１アタッチメント）
２７  本体側接続口
２８  本体側吸込口
２９  排気接続口
３６  パイプ部
３７  カバーパイプ
３８  ラッチ部
３９  端子部
３９Ｒ  右側本体３側充電端子部
３９Ｌ  左側本体３側充電端子部
４０  パイプ
４１  嵌合部
４２ａ  ラッチ
４２ｂ  ラッチカバー
４３ｃ  バネ
５７  被取付部
７５  毛束
７６  ラッチ
７７  バネ
７８  刷毛ノズル側接続口
７８ａ  刷毛ノズル接続口内壁
７９  刷毛ノズル風路形成部
８０  刷毛ノズル取付部
８３  刷毛ノズル支持部
８４  刷毛ノズル吸込口（アタッチメント側吸込口）
８４ａ  被係止部
８９  ラッチ
９０  吸引口兼吹出口
９１  直管ノズル側接続口
９１ａ  筒状接続口（第２の接続口）
９１ｂ  矩形状接続口（第１の接続口）
９１ｃ  アタッチメント側接続口
９２  直管ノズル風路形成部
９３  直管ノズル取付部
９６  直管ノズル支持部
９８  蛇腹ホース
９９  サッシノズル
１００  アタッチメント外郭部
１００ａ  刷毛ノズル外殻部
１００ｂ  直管ノズル外殻部。
【図１】
2020178884.tif 000003
【図２】
2020178884.tif 000004
【図３】
2020178884.tif 000005
【図４】
2020178884.tif 000006
【図５】
2020178884.tif 000007
【図６】
2020178884.tif 000008
【図７】
2020178884.tif 000009
【図８】
2020178884.tif 000010
【図９】
2020178884.tif 000011
【図１０】
2020178884.tif 000012
【図１１】
2020178884.tif 000013
【図１２】
2020178884.tif 000014
【図１３】
2020178884.tif 000015
【図１４】
2020178884.tif 000016
【図１５】
2020178884.tif 000017
【図１６】
2020178884.tif 000018
【図１７】
2020178884.tif 000019
【図１８】
2020178884.tif 000020
【図１９】
2020178884.tif 000021
【図２０】
2020178884.tif 000022
【図２１】
2020178884.tif 000023
【図２２】
2020178884.tif 000024
【図２３】
2020178884.tif 000025
【図２４】
2020178884.tif 000026
【図２５】
2020178884.tif 000027
【図２６】
2020178884.tif 000028
【図２７】
2020178884.tif 000029
【図２８】
2020178884.tif 000030